【手続補正書】
【提出日】平成26年9月26日(2014.9.26)
【手続補正１】
【補正対象書類名】特許請求の範囲
【補正対象項目名】全文
【補正方法】変更
【補正の内容】
【特許請求の範囲】
【請求項１】
撮像画像に仮想オブジェクトを合成する画像処理部を備え、
前記画像処理部は、前記撮像画像に映る物体の状態または種類に基づいて前記仮想オブジェクトを決定する、画像処理装置。
【請求項２】
前記画像処理部は、前記撮像画像に映る物体と前記撮像画像に映る所定の物体との隣接が検出された場合に、前記撮像画像に映る物体を他の物体に置換する処理により前記撮像画像に仮想オブジェクトを合成する、
請求項１に記載の画像処理装置。
【請求項３】
前記画像処理部は、前記撮像画像に映る物体と前記撮像画像に重畳された所定の物体との隣接が検出された場合に、前記撮像画像に映る物体を他の物体に置換する処理により前記撮像画像に仮想オブジェクトを合成する、
請求項１に記載の画像処理装置。
【請求項４】
前記撮像画像に映る物体と前記所定の物体との隣接は、前記撮像画像に映る物体と隣接する物体の色および形状の少なくともいずれか一方に基づいて検出される、
請求項２または請求項３に記載の画像処理装置。
【請求項５】
前記画像処理部は、前記撮像画像に映る物体と前記撮像画像に映る所定の物体との重なりが検出された場合に、前記重なりに応じて変形された仮想オブジェクトを前記撮像画像に合成する、
請求項１に記載の画像処理装置。
【請求項６】
前記撮像画像に映る物体と前記所定の物体との重なりは、前記撮像画像に映る物体と前記所定の物体との境界線の位置に基づいて検出される、
請求項５に記載の画像処理装置。
【請求項７】
前記画像処理部は、前記撮像画像に映る物体の種類が検出された場合に、前記撮像画像に映る物体の種類に応じて選択された仮想オブジェクトを前記撮像画像に合成する、
請求項１に記載の画像処理装置。
【請求項８】
前記画像処理部は、前記撮像画像に映る物体の種類が検出された場合に、前記撮像画像に映る物体の種類に応じた形状に前記撮像画像に映る他の物体を変形することにより前記撮像画像に仮想オブジェクトを合成する、
請求項１に記載の画像処理装置。
【請求項９】
前記画像処理装置は、
前記撮像画像に映る物体の状態または種類を検出する検出部をさらに備える、
請求項１に記載の画像処理装置。
【請求項１０】
前記画像処理装置は、
前記画像処理部により処理された後の画像が表示部に表示されるように前記表示部を制御する表示制御部をさらに備える、
請求項１に記載の画像処理装置。
【請求項１１】
撮像画像に映る物体の状態または種類に基づいて、前記撮像画像に合成される仮想オブジェクトを決定することを含む、画像処理方法。
【請求項１２】
コンピュータを、
撮像画像に仮想オブジェクトを合成する画像処理部を備え、
前記画像処理部は、前記撮像画像に映る物体の状態または種類に基づいて前記仮想オブジェクトを決定する画像処理装置として機能させるためのプログラム。
【手続補正２】
【補正対象書類名】明細書
【補正対象項目名】０００９
【補正方法】変更
【補正の内容】
【０００９】
また、本開示によれば、撮像画像に映る物体の状態または種類に基づいて、撮像画像に合成される仮想オブジェクトを決定する、画像処理方法が提供される。
【手続補正３】
【補正対象書類名】明細書
【補正対象項目名】００５２
【補正方法】変更
【補正の内容】
【００５２】
また、例えば、検出部１１１は、半袖シャツからはみ出ている部分の色が腕の色（例えば、肌色）であるか否かを判定し、当該部分が腕の色ではないと判定した場合には、半袖シャツから長袖シャツがはみ出ていると予想されるため、半袖シャツと長袖シャツとの隣接を検出してもよい。さらに、検出部１１１は、半袖シャツからはみ出ている部分の色が腕の色であると判定した場合であっても、腕の色である部分が閾値を超えるサイズを有していない場合には、腕の色である部分が腕ではないと予想されるため、半袖シャツと長袖シャツとの隣接を検出してもよい。
【手続補正４】
【補正対象書類名】明細書
【補正対象項目名】００５３
【補正方法】変更
【補正の内容】
【００５３】
このように、検出部１１１は、半袖シャツからはみ出ている部分の形状または色に基づいて、半袖シャツと長袖シャツとの隣接を検出することができる。腕の形状や腕の色は、あらかじめ登録されていてもよいし、学習により蓄積されていってもよい。なお、図５に示した例では、被写体２０が実空間に存在する半袖シャツを身体に当てているが、仮想オブジェクトである半袖シャツが被写体２１の身体に当てられている場合にも、長袖シャツのうち半袖シャツからはみ出ている部分を消す処理が実行され得る。
【手続補正５】
【補正対象書類名】明細書
【補正対象項目名】００７８
【補正方法】変更
【補正の内容】
【００７８】
図１０には、撮像画像１３１Ｅに映る物体の例として物体３１Ｅが示され、撮像画像１３１Ｅに映る他の物体の例として物体３２Ｅが示されている。また、図１０には、他の物体の例として物体３３Ｅが示されている。図１０に示した例では、物体３１Ｅは垂直方向の長さが短いネックレス（例えば、垂直方向の長さｘ１が閾値よりも短いネックレス）であり、物体３２Ｅは被写体２１が着用している服であり、物体３３Ｅはラウンドネックの服であるが、物体３１Ｅ、物体３２Ｅおよび物体３３Ｃは、特に限定されない。
【手続補正６】
【補正対象書類名】明細書
【補正対象項目名】００８３
【補正方法】変更
【補正の内容】
【００８３】
図１１は、画像処理部１１２が有する機能の第２の変形例を説明するための図である。図１１には、撮像画像１３１Ｆに映る物体の例として物体３１Ｆが示され、撮像画像１３１Ｆに映る他の物体の例として物体３２Ｆが示されている。また、図１１には、他の物体の例として物体３３Ｆが示されている。図１１に示した例では、物体３１Ｆは垂直方向の長さが長いネックレス（例えば、垂直方向の長さｘ２が閾値よりも長いネックレス）であり、物体３２Ｆは被写体２１が着用している服であり、物体３３ＦはＶネックの服であるが、物体３１Ｆ、物体３２Ｆおよび物体３３Ｆは、特に限定されない。
【手続補正７】
【補正対象書類名】明細書
【補正対象項目名】０１１５
【補正方法】変更
【補正の内容】
【０１１５】
なお、以下のような構成も本開示の技術的範囲に属する。
（１）
撮像画像に仮想オブジェクトを合成する画像処理部を備え、
前記画像処理部は、前記撮像画像に映る物体の状態または種類に基づいて前記仮想オブジェクトを決定する、画像処理装置。
（２）
前記画像処理部は、前記撮像画像に映る物体と前記撮像画像に映る所定の物体との隣接が検出された場合に、前記撮像画像に映る物体を他の物体に置換する処理により前記撮像画像に仮想オブジェクトを合成する、
前記（１）に記載の画像処理装置。
（３）
前記画像処理部は、前記撮像画像に映る物体と前記撮像画像に重畳された所定の物体との隣接が検出された場合に、前記撮像画像に映る物体を他の物体に置換する処理により前記撮像画像に仮想オブジェクトを合成する、
前記（１）に記載の画像処理装置。
（４）
前記撮像画像に映る物体と前記所定の物体との隣接は、前記撮像画像に映る物体と隣接する物体の色および形状の少なくともいずれか一方に基づいて検出される、
前記（２）または前記（３）に記載の画像処理装置。
（５）
前記画像処理部は、前記撮像画像に映る物体と前記撮像画像に映る所定の物体との重なりが検出された場合に、前記重なりに応じて変形された仮想オブジェクトを前記撮像画像に合成する、
前記（１）に記載の画像処理装置。
（６）
前記撮像画像に映る物体と前記所定の物体との重なりは、前記撮像画像に映る物体と前記所定の物体との境界線の位置に基づいて検出される、
前記（５）に記載の画像処理装置。
（７）
前記画像処理部は、前記撮像画像に映る物体の種類が検出された場合に、前記撮像画像に映る物体の種類に応じて選択された仮想オブジェクトを前記撮像画像に合成する、
前記（１）に記載の画像処理装置。
（８）
前記画像処理部は、前記撮像画像に映る物体の種類が検出された場合に、前記撮像画像に映る物体の種類に応じた形状に前記撮像画像に映る他の物体を変形することにより前記撮像画像に仮想オブジェクトを合成する、
前記（１）に記載の画像処理装置。
（９）
前記画像処理装置は、
前記撮像画像に映る物体の状態または種類を検出する検出部をさらに備える、
前記（１）に記載の画像処理装置。
（１０）
前記画像処理装置は、
前記画像処理部により処理された後の画像が表示部に表示されるように前記表示部を制御する表示制御部をさらに備える、
前記（１）に記載の画像処理装置。
（１１）
撮像画像に映る物体の状態または種類に基づいて、前記撮像画像に合成される仮想オブジェクトを決定することを含む、画像処理方法。
（１２）
コンピュータを、
撮像画像に仮想オブジェクトを合成する画像処理部を備え、
前記画像処理部は、前記撮像画像に映る物体の状態または種類に基づいて前記仮想オブジェクトを決定する画像処理装置として機能させるためのプログラム。